(57)【特許請求の範囲】
【請求項１】
ベースとなる組織と、
前記組織に所定の割合で含まれる塑性変形性の線材と、
前記線材の表面の少なくとも一部を覆う他の糸と、
を含み、
前記他の糸は、前記線材の両側を挟むものであり、前記線材の直径よりも大きい直径を有し、
前記線材が樹脂製であり、前記他の糸が天然繊維又は化学繊維で構成されていること、を特徴とする布地。
【請求項２】
前記ベースは、経糸及び緯糸を含む織組織であり、
前記線材は、所定間隔に１本の割合で、前記経糸及び前記緯糸のうち少なくとも一方に織り込まれていること、
を特徴とする請求項１に記載の布地。
【請求項３】
前記他の糸は、前記線材における表面となる側をほぼ全面的に覆っていること、
を特徴とする請求項１又は２に記載の布地。
【請求項４】
請求項１〜３のいずれかに記載の布地の部分を含む布製品。
【発明の詳細な説明】
【技術分野】
【０００１】
本発明は、布地、及びその布地を含む布製品に関する。
【背景技術】
【０００２】
例えば、衣服の立体的形状を自在に変化させた状態で保持可能とするために、変形自在且つ形状保持可能なワイヤを取り付けた衣類が知られている。ここで、ワイヤは、シャツの見頃、袖又はズボンの裾部分に、筒状の断面形状に沿って環状に取り付け、シャツの襟又はポケットには、その周縁部の形状に沿って取り付けられている（例えば特許文献１）。
【先行技術文献】
【特許文献】
【０００３】
【特許文献１】特開２００６−２８７２４号公報
【発明の概要】
【発明が解決しようとする課題】
【０００４】
このような衣類を構成する布地は、それ自体、形状保持機能を有していない。したがって、衣類に部分的に形状保持機能を付与するために、ワイヤが別途、衣類に取り付けられている。しかし、衣類に付与された形状保持機能は、ワイヤの取付位置に限定されている。【０００５】
そこで、本発明の目的は、形状を自在に変化できるとともにその形状を保持できる布地、及びその布地の部分を含む布製品を提供することにある。
【課題を解決するための手段】
【０００６】
上述した課題を解決すべく、本発明は、ベースとなる組織と、前記組織に所定の割合で含まれる塑性変形性の線材と、前記線材の表面の少なくとも一部を覆う他の糸（例えば前記線材における表面となる側を覆う他の糸、前記線材の両側を挟むように配置される他の糸、又は前記線材に巻き付けられた若しくは撚られた他の糸等）と、を含むことを特徴とする布地を提供する。ここで、他の糸は、単繊維でもよいし、撚糸、連糸、芯鞘構造糸でもよいものとする。【０００７】
上記の構成を有する本発明の布地では、前記ベースが、経糸及び緯糸を含む織組織であり、前記線材は、所定間隔に１本の割合で、前記経糸及び前記緯糸のうち少なくとも一方に織り込まれていることが好ましい。ここで、経糸及び緯糸は、単繊維でもよいし、撚糸、連糸、芯鞘構造糸でもよいものとする。【０００８】
また、上記の構成を有する本発明の布地では、前記他の糸が、前記線材における表面となる側をほぼ全面的に覆うように、前記線材の直径よりも広い幅を有することが好ましい。【０００９】
また、上記の構成を有する本発明の布地では、前記他の糸が、前記線材の両側を挟むものであり、前記線材の直径よりも大きい直径を有することが好ましい。【００１０】
あるいは、上記の構成を有する本発明の布地では、前記ベースが編組織であり、前記線材には前記他の糸が巻き付けられていることが好ましい。【００１１】
上記の構成を有する本発明の布地では、前記線材が、前記他の糸が前記線材に沿ってスライドすることを抑制する係止部を有することが好ましい。ここで、係止部は、例えば、線材の表面に形成された疵又は溝（凸部又は凹部）、線材に塗布された接着剤、及び、線材に沿って配置されて線材と一緒に他の糸で巻かれる糸等が挙げられる。【００１２】
また、本発明は、上記のいずれかの布地を含む布製品をも提供する。ここで布製品にはバッグ、帽子・ストールなどの衣類、ランチケース、傘、履物、内装材、建材及びオブジェを含む。
【発明の効果】
【００１３】
本発明によれば、形状を自在に変化できるとともにその形状を保持できる布地、及びその布地を含む布製品を提供することができる。併せて、布地の肌触りや風合いを良好に保つことができる。
【図面の簡単な説明】
【００１４】
【図１】本発明の第１実施形態に係る布地１０の一例を示す概略図である。
【図２】布地１０を線材１７及び他の糸１９に沿って切断した断面の一例を示す図である。
【図３】本発明の第２実施形態に係る布地２０の一例を示す概略図である。
【図４】布地２０を経糸２３に沿って切断した断面の一例を示す図である。
【図５】第１及び第２実施形態に係る布地を適用した布製品の一例としてのバッグ５０を示す図である。
【図６】第１及び第２実施形態に係る布地を適用した布製品の一例としての帽子６０を示す図である。
【図７】本発明の第３実施形態で使用される糸の一例を示す概略図である。
【図８】第３実施形態で使用される糸の他の例を示す概略図である。
【図９】第３実施形態で使用される糸の別の例を示す概略図である。
【図１０】第３実施形態で使用される糸の更に別の例を示す概略図である。
【図１１】第３実施形態に係る布地３０の一例を示す概略図である。
【図１２】第３実施形態に係る布地を適用した布製品の一例としての衣類７０を示す図である。
【発明を実施するための形態】
【００１５】
以下、本発明の代表的な実施形態に係る布地及び布製品について、図面を参照しながら詳細に説明する。なお、図面は、本発明を概念的に説明するためのものであるから、理解容易のために、必要に応じて寸法、比又は数を誇張又は簡略化して表している場合もあり、本発明はこれに限定されるものではない。
【００１６】
ここでは、第１及び第２実施形態において、布地の例として２種類の織物を挙げ、これら織物を適用した布製品の例としてバッグ及び帽子を挙げる。第３実施形態では、布地の他の例として編物及びその編物を適用した衣類を説明する。したがって、本発明は、布地全般及び布製品全般をその技術的範囲に含むものである。
【００１７】
１．第１及び第２実施形態：布地の例としての織物について
第１及び第２実施形態では、布地を構成する織物の組織（つまりベース）に塑性変形性の線材を織り込み、これにより布地がその形状を自在に変化すること及びその形状を保持することが可能になっている。ただし、この線材がベースに含まれる経糸及び緯糸よりも硬い場合には、表面に露出した線材が布地及び布製品の肌触りや風合いに影響することがある。そこで、発明者らは、塑性変形性の線材が布地及び布製品のユーザにできるだけ接触しないように工夫し、布地及び布製品の肌触りや風合いを良好に保つことに成功した。線材がユーザに触れることを防止する手法の例として、第１実施形態では、他の糸で線材を覆う手法を挙げ、第２実施形態では、塑性変形性の線材の両側を他の糸で挟む手法を挙げる。
【００１８】
１−１  第１実施形態
図１及び図２を参照して、第１実施形態に係る布地１０を説明する。図１は布地１０の一例を概略的に示し、図２は、布地１０を線材１７及び他の糸１９に沿って切断した断面の一例を示す。
【００１９】
１−１−１  布地１０の構成について
図１に示すように、布地１０は、経糸１３及び緯糸１５で構成される織物である。布地１０としては、例えば平織、綾織、朱子織のような種々の織物組織を単独で又は組合せで利用することができる。本実施形態では、平織の例を挙げているが、布地１０に柔らかさを出すためには例えば１／２綾織などが好適である。
【００２０】
経糸１３及び緯糸１５は、同種の繊維でもよいし、異種の繊維でもよい。また、経糸１３及び緯糸１５として、それぞれ複数種類の繊維を使用してもよい。更に、経糸１３及び緯糸１５は、単繊維でもよいし、複数の繊維を撚り合わせた撚糸でもよい。経糸１３及び緯糸１５は、同じ径でもよいし異なる径でもよい。
【００２１】
本実施形態では、経糸１３及び緯糸１５として、ポリエステル繊維等の化学繊維や天然繊維を用いることが可能であるが、肌触り、風合い、取扱性、保存性及びコスト等の観点から、ポリエステル及びナイロン繊維を採用するのが好ましい。ここでは、経糸１３としてポリエステル７５デニール／１４４フィラメントを、緯糸１５としてポリエステル７５／３６フィラメントのウーリー糸を使用している。
【００２２】
布地１０の組織には、所定の割合で塑性変形性の線材１７が含まれている。線材１７は、折り曲げ自在かつ形状保持特性を持つ、ポリエチレン等の樹脂製の線材であり、詳細な材料については追って述べる。
【００２３】
本実施形態では、線材１７は、緯糸として所定間隔で織り込まれている。線材１７は、例えば５０〜５０００デニール（好ましくは５００〜３０００デニール、更に好ましくは１０００〜３０００デニール）の太さを有していればよく、緯糸として３〜１０ｍｍ間隔に１本の割合で織り込まれていればよい。なかでも、１０００デニールの太さを有する線材１７が、緯糸として５ｍｍ間隔に１本の割合で織り込まれているのが好ましいことを、発明者らは見出している。線材１７は、更に経糸として所定間隔で織り込まれてもよく、これにより布地１０の形状保持性能が高まる。
【００２４】
このように、本実施形態では、布地１０のベースとなる組織が、経糸１３、緯糸１５及び線材１７から構成されている。そして、かかるベースに更に他の糸１９が織り込まれている。
【００２５】
ここで、他の糸１９は、線材１７が直接にユーザの肌に触れにくいように線材１７を覆って保護材乃至は被覆材としての役割を果たす。他の糸１９は、線材１７において表面となる側（即ち、布地１０において線材１７のうちの表面に露出している側。以下、単に表面側という。）を全面的に覆っていてもよいし、布地１０の良好な肌触りや風合いを確保できる限り、線材１７の表面側を部分的に覆っていてもよい。そのために、他の糸１９は、線材１７の直径と同じかそれ以上の幅を有することが好ましい。
【００２６】
図１及び図２に示すように、他の糸１９は、布地１０の表面を所定間隔Ｄで滑走するように、つまり刺し子調に、布地１０に織り込まれている。他の糸１９を滑走させているのは、他の糸１９において肌に触れる部分を増やし、更に風合いを出すためである。他の糸１９の滑走間隔は、ここでは３ｍｍに設定されているが、布地１０の用途、肌触り、風合い、硬さ及び厚さに応じて、例えば１〜１０ｍｍの範囲で適宜選択してよい。
【００２７】
他の糸１９は、綿、ウール、紡毛等の天然繊維でも、ポリエステル、アクリル、ナイロン、混紡等の化学繊維でもよいが、肌触りや風合いが良くかつ人体に優しいという観点からは天然繊維であることが好ましい。他の糸１９は、単繊維でもよいし、複数の単繊維を撚り合わせた撚糸でもよい。また、他の糸１９は、１種類の繊維で構成されてもよいし、複数種類の繊維から構成されてもよい。ここでは、他の糸１９として、ギマ加工が施された綿−／８．５（デニール換算で１１５９デニール）を用いている。
【００２８】
経糸１３、緯糸１５、線材１７及び他の糸１９の種類及び太さ、並びに織組織は、布地１０の用途、肌触り、風合い、硬さ及び厚さ等、所望する機能等に応じて適宜選択してよい。
【００２９】
１−１−２  塑性変形性の線材１７について
本実施形態において使用する塑性変形性の線材１７について詳細に説明する。
線材１７としては、常温でランダムに曲線状に曲げたり直線状に戻したりすることのできる塑性変形性を発揮するポリエチレン（エチレン単独重合体又はエチレン・α-オレフィン共重合体）を用いることができる。また、当該ポリエチレンに、ポリプロピレン等の他のポリオレフィンと混合してもよい。
【００３０】
線材１７としては、ベース組織への織り込みやすさや織込後の肌触りや風合い等を考慮し、５００〜３０００デニール（直径約０．２５〜０．６７ｍｍ）の太さを持つプラスチック線材を使用するのが好ましい。また、線材１７は、９０度に曲げて５分経ったときの戻り量（角度）が５〜１２度であるほどの形状保持性能を持つのが好ましい。
【００３１】
なかでも、本実施形態では、線材１７として三井化学株式会社製のプラスチック線材「テクノロート」（商標）を使用している。ここでは、ベース組織への織り込みやすさを考慮し、１０００デニール（直径０．３８ｍｍ）の太さを持つプラスチック線材を使用している。この種のプラスチック線材は、９０度に曲げて５分経ったときの戻り量（角度）が１２度であるほどの形状保持性能を持つ。ただし、線材１７の太さは、布地１０の用途、肌触り、風合い、硬さ及び厚さ等に応じ、線材１７の混入度合を考慮して適宜選択することができる。
【００３２】
このプラスチック線材を使用する場合、略円形の断面を持つことが、ベース組織への組み込みやすさの観点から好適である。ただし、ベース組織に組み込める限り、帯状の線材を使用してもよい。また、このプラスチック線材では、原糸としてモノフィラメントを使用してもよいし、連糸や撚糸を使用してよい。
【００３３】
プラスチック線材は、例えば、上記ポリエチレン（エチレン単独重合体又はエチレン・α-オレフィン共重合体）を溶融し、原糸に押し出して最大厚み部の厚さが１ｍｍ以上の原糸に成形し、これを６０℃以上、ポリエチレンの融点未満の温度で延伸することで得られる。
【００３４】
具体的には、上記ポリエチレンから所望形状の繊維状又は帯状の原反（厚み１〜２０ｍｍ程度）を溶融成形により製造し、次いで１００℃以下の温度、延伸性の点から好ましくは８５〜１００℃の温度で、塑性変形性及び形状保持性が発現できる程度に延伸すればよい。延伸倍率は、原反の性状や延伸温度によって、塑性変形性が発現できる範囲で選択すればよいが、通常は降伏点以上破断点以下となるような範囲である。
【００３５】
１−１−３  布地１０の製造について
次いで、布地１０の製造工程の一例を説明する。ここでは、布地１０をジャガード織機で製造することを想定しているが、布地１０は他の種類の織機で製造することも可能である。
【００３６】
（１）経糸１３と緯糸１５とで組織を織る。
（２）次いで、上記（１）の組織に、所定の間隔に１本の割合で線材１７をボーダー状に入れて、布地１０のベースを得る。このとき、線材１７の混入割合を増やすことで、布地１０の形状保持性能を高めることができる。この工程（２）は、工程（１）と同時に行われてもよい。
（３）そして、上記ベースの上に他の糸１９を必要分織り込む。ここで、他の糸１９の織込みは、他の糸１９を布地１０の表面に滑走させることで行っているが、例えば、他の糸１９を布地１０に縫い付けてもよい。
【００３７】
このようにして製造した布地１０は、布地１０には、所望の面に亘って線材１７が織り込まれているので、その面の形状を自在に変形できるとともに十分な形状保持性能を有する。しかも、布地１０は良好な肌触り及び風合いを有する。したがって、布製品のデザイナーに多様な利用方法を提供することができるとともに、デザイナーの発想の幅を広げることができる。また、ユーザにとっても、１つの布製品で多様な形状を楽しむことができ、布製品の使用形態の幅が広がる。
【００３８】
１−２  第２実施形態
図３及び図４を参照して、第２実施形態に係る布地２０を説明する。図３は布地２０の一例を概略的に示し、図４は、布地２０を経糸２３に沿って切断した断面の一例を示す。
【００３９】
１−２−１  布地２０の構成について
布地２０は、図３に示すように、経糸２３及び緯糸２５で構成されている。布地２０としては、例えば平織、綾織、朱子織のような種々の織物組織を単独で又は組合せで利用することができ、本実施形態では平織の例を挙げている。
【００４０】
経糸２３及び緯糸２５としては、第１実施形態の経糸１３及び緯糸１５と同じ繊維を使用することができる。図３に示すように、布地２０には、所定の割合で塑性変形性の線材２７が含まれ、この線材２７に沿うように他の糸２９が配置されている。線材２７としては、第１実施形態の線材１７と同じ線材を使用することができる。
【００４１】
図４に示すように、線材２７の両側を挟むように、一対の糸２９Ａ，２９Ｂを含む他の糸（保護材乃至は被覆材）２９が配置されている。他の糸２９は、図示のように線材２７と同じピッチで組織に織り込んでもよいし、経糸２３を所定の本数だけ滑走させてもよい。ここで、経糸２３の滑走は、風合いを出すために行われてもよい。
【００４２】
他の糸２９は、ユーザに線材２７の硬い感触を与えないように、線材２７と同じ高さ（布地２０の厚み方向の長さ）であるか、線材２７よりも布地２０の表面側に突出している。他の糸２９を構成する糸２９Ａ，２９Ｂとしては、線材２７の直径以上の直径を持つ繊維を用いることが好ましい。他の糸２９は、上記の他の糸１９と同様に、天然繊維でも化学繊維でもよいし、単繊維に限らず撚糸や芯鞘構造糸でもよい。
【００４３】
１−２−２  布地２０の製造について
第２実施形態に係る布地２０は、例えば、ジャガード織機を用いて次の工程で製造することができる。
（１）経糸２３と緯糸２５とで組織を織る。
（２）この組織に、所定の間隔で、一組の糸２９Ａ、塑性変形性の線材２７及び糸２９Ｂをボーダー状に織り込み、布地２０を得る。この工程（２）は、工程（１）と同時に行われてもよい。
【００４４】
このようにして製造した布地２０もまた、ユーザの好みに応じて様々な形状を取ることが可能であるとともに、その形状を保持することができる。また、線材２７はユーザに触れないか、触れるとしても僅かであるから、布地２０の肌触り及び風合いは良好である。
【００４５】
２．第１及び第２実施形態に係る布地１０，２０を適用した布製品の例について
図５及び図６を参照して、第１及び第２実施形態に係る布地１０，２０を適用した布製品の例について説明する。図５及び図６は、布製品の一例としてのバッグ５０及び帽子６０を示すものである。ただし、布地１０，２０を適用可能な布製品はバッグ及び帽子に限られない。
【００４６】
ここで、布地１０，２０は、布製品の全部を構成してもよいし、布製品の特定部分だけに含まれてもよい。特定部分は、例えば形状を変形させた状態を保持したり元の状態に戻したりすることができ、布製品にファッション性を付与する。この場合、特定部分と他の部分とは連続していても不連続であってもよい。例えば、布地１０，２０のベースが布製品全体で共通しつつ、特定部分のみに線材１７が十分に存在していてもよい（つまり他の部分には線材１７が存在しないか少ない）。
【００４７】
２−１  バッグ５０について
図５（Ａ）に示すように、バッグ５０は、袋体をなす本体５１と、持ち手を構成する一対の帯５３，５５とを含む。ここでは、本体５１の開口部５７及びその近傍に、布地１０又は布地２０が使用されている。
【００４８】
図５（Ｂ）に示すように、バッグ５０の使用時には、帯５３，５５を結び合わせて持ち手とする。バッグ５０を閉じるときには、開口部５７の互いに対向する部位を合わせ、その状態で開口部５７を巻き込む。そうすると、布地１０又は布地２０の形状保持機能により、開口部５７は巻かれた状態で保持される。バッグ５０を開くときには、開口部５７を巻き戻して平らな状態にすればよい。
【００４９】
布地１０又は布地２０を適用したバッグ５０では、開口部５７の閉じ方、つまり開口部５７の巻き方は、多様であり、ユーザに委ねられる。したがって、バッグ５０のデザインの幅が広がるとともに、ユーザにとってバッグ５０を利用する楽しみが増す。しかも、バッグ５０の肌触りは滑らかであり、線材１７又は線材２７の存在を感じさせない。
【００５０】
２−２  帽子６０について
図６（Ａ）に示すように、帽子６０は、ユーザの頭部Ｈを覆う袋状のクラウン６１、そのクラウン６１の前側に縫い付けられた前ツバ６３、及び、クラウン６１の後側に縫い付けられた後ツバ６５を含む。ここでは、帽子６０に全体的に布地１０又は布地２０が使用されている。
【００５１】
帽子６０は、不使用時には図６（Ａ）のように平坦であり、折り畳んだ状態で収納したり持ち運んだりすることができる。帽子６０は、使用時には図６（Ｂ）のように立体的な形状を取ってユーザの頭部Ｈに着用される。ユーザは、クラウン６１、前ツバ６３及び後ツバ６５を所望の形状にすることができ、その形状は布地１０又は布地２０の形状保持機能により保持される。
【００５２】
したがって、帽子６０は、ユーザの気分や場の雰囲気に応じて形状を様々に変えることができ、ユーザにとって帽子６０を利用する楽しみが増す。しかも、帽子６０の肌触りは滑らかであり、線材１７又は線材２７の存在を感じさせない。
【００５３】
３．第３実施形態：布地の他の例としての編物について
第３実施形態では、布地の他の例として編物を挙げる。ここでは、編地の少なくとも一部分を構成する編糸が、線材と、その線材に巻き付けられた他の糸（撚糸）と、を含む。他の糸の種類によっては、線材に係止手段（つまり係止部）を設け、他の糸が線材に沿ってスライドすることを抑制するとよい。なお、係止手段は以下に例示する３種類に限られるものではない。
【００５４】
上述した編糸の一例として、ここでは次の３種類の編糸３１〜３４を挙げる。
編糸３１は、図７に示すように、線材３７、及び線材３７に巻き付けられた他の糸３９で構成されている。線材３７及び他の糸３９として、第１実施形態で使用した線材１７及び他の糸１９（又は他の糸２９）をそれぞれ使用することができる。他の糸３９の巻き付け方は、線材３７がユーザに触れなければ何でもよい。例えば、他の糸３９は、一重巻きでも二重巻きでもよいし、隣り合う他の糸３９同士が接するように巻かれてもよいし、線材３７を露出させるように隣り合う他の糸３９同士が一定の間隔で巻かれてよい。また、他の糸３９は、線材３７が延びる方向に対して時計回りに巻かれてもよいし、反時計回りに巻かれてもよい。
【００５５】
編糸３２は、図８に示すように、線材３７、及び線材３７に巻き付けられた他の糸３９で構成されている。線材３７には、係止手段の一種として疵又は溝４１が形成され、線材３７と他の糸３９との間の摩擦力を高めている。疵４１は、線材３７の表面に部分的に形成されていれば足り、例えば、線材３７をやすりに接触させて表面粗度を上げることで形成可能である。
【００５６】
編糸３３もまた、図９に示すように、線材３７、及び線材３７に巻き付けられた他の糸３９で構成されている。線材３７には、係止手段の一種として接着剤４３が塗布され、線材３７を他の糸３９と接着している。接着剤４３は、他の糸３９が線材３７に沿って滑らない程度に、線材３７の表面に部分的に塗布されていれば足りる。
【００５７】
編糸３４は、図１０に示すように、線材３７、及び線材３７に巻き付けられた他の糸３９で構成されている。編糸３４では、線材３７に沿って、係止手段の一種としての糸４５が配置されている。糸４５は、他の糸３９と異なる種類の繊維でもよいが、他の糸３９と同じ動き（例えば同じ伸縮）をするように他の糸３９と同じ種類の繊維であることが好ましい。これらの編糸３１〜３４を人手で又は編み機で編むことで、布地３０が作成される。
【００５８】
図１１を参照して、第３実施形態に係る布地３０を説明する。図１１は、布地３０の一例を示す概略図である。ここでは、布地３０が編糸３１で編成されているものとして説明するが、布地３０は編糸３２〜３４で編成されてもよい。
【００５９】
図１１は、布地３０を、編糸３１を緯編で編成した編物として表している。ただし、布地３０は経編でもよいものとする。布地３０の編み方に制限はなく、緯編では例えば平編、ゴム編、パール編などでもよく、経編ではシングル・デンビー編などでもよい。
【００６０】
４．第３実施形態に係る布地３０を適用した布製品の例について
図１２を参照して、第３実施形態に係る布地３０を適用した布製品の例について説明する。図１２は、布製品の一例としての衣類７０を示す。ただし、布地３０を適用可能な布製品は衣類に限られず、例えばバッグ及び帽子にも適用可能である。
【００６１】
図１２（Ａ）に示すように、衣類７０は、例えば前身頃７１及び後ろ身頃７２を含む上衣として構成することができ、その他にズボン及びスカートとすることもできる。ここでは、衣類３０に全体的に布地３０が使用されている。したがって、ユーザは、例えば図１２（Ｂ）に示すように、衣類７０における所望の部位を変形させるとともに、衣類７０を変形状態に保持することができる。ただし、布地３０は、衣類７０の特定部分にだけ使用されてもよいし、部位によって形状保持力を異ならせるように編糸３１〜３４の割合を変えてもよい。
【００６２】
このように、衣類７０は、ユーザの気分や場の雰囲気に応じて形状を様々に変えることができ、ユーザにとって衣類７０を利用する楽しみが増す。しかも、衣類７０の肌触りは滑らかであり、線材３７を感じさせない。更に、衣類のデザイナーに対してより多くの表現方法を提供することができる。
【００６３】
以上、本発明の代表的な実施形態について説明したが、本発明はこれらのみに限定されるものではなく、種々の設計変更が可能であり、かかる設計変更した態様も全て本発明の技術的範囲に含まれる。
【産業上の利用可能性】
【００６４】
本発明の布地１０，２０，３０の他の利用形態としては、例えばランチケース、傘、ストール、衣類（例えば襟、裾のような衣類の部分を含む）、履物（例えばシュータン、ベロ）、カーテンやカーペット等の内装材、建材、葉等の植物のオブジェ等が考えられる。また、上述した編糸は、いわゆる機能性複合糸して用いることができ、上記の利用形態はもちろんのこと、従来の繊維製品等に幅広く適用可能である。
【符号の説明】
【００６５】
１０，２０，３０・・・布地、
１３，２３・・・経糸、
１５，２５・・・緯糸、
１７，２７，３７・・・線材、
１９，２９，３９・・・他の糸、
３１，３２，３３，３４・・・編糸、
５０・・・バッグ、
６０・・・帽子、
７０・・・衣類。
【要約】
本発明は、形状を自在に変化できるとともにその形状を保持できる布地、及びその布地を含む布製品を提供するものであり、ベースとなる組織と、前記組織に所定の割合で含まれる塑性変形性線材と、前記線材における表面となる側を覆い又は前記線材の両側を挟むように配置される他の糸と、を含むことを特徴とする布地に関する。前記ベースは、経糸及び緯糸を含む織組織であり、前記線材は、所定間隔に１本の割合で、前記経糸及び前記緯糸のうち少なくとも一方に織り込まれていてもよい。【図１】
0006681637.tif 000002
【図２】
0006681637.tif 000003
【図３】
0006681637.tif 000004
【図４】
0006681637.tif 000005
【図５】
0006681637.tif 000006
【図６】
0006681637.tif 000007
【図７】
0006681637.tif 000008
【図８】
0006681637.tif 000009
【図９】
0006681637.tif 000010
【図１０】
0006681637.tif 000011
【図１１】
0006681637.tif 000012
【図１２】
0006681637.tif 000013